(57)【特許請求の範囲】
【請求項１】
布基礎上にアンカーボルトで固定される土台と、該土台の直角のコーナー部上に立設される柱と、これら土台および柱を接合する継手部材とを備え、前記継手部材は前記土台のコーナー部に沿って交差する２つの側方延出片部と、これら側方延出片部の交差部から上方へ延出した上方延出片部とを有し、前記コーナー部において互いに当接される土台の端部に前記側方延出片部を各々挿入するスリットを形成し、前記柱の下端部に前記上方延出部を挿入するスリットを形成し、各スリットに挿入した状態で側方延出片部を土台に、上方延出片部を柱に固定具でそれぞれ固定してなり、土台同士の接合部である端部の形状は、土台の幅方向略中央に形成したスリットを境としてコーナー部の内側端部を外側端部よりも土台の幅の半分の寸法だけ後退させた形状とされていることを特徴とする建物。
【発明の詳細な説明】
【０００１】
【発明の属する技術分野】
本発明は、建物に係り、特に施工性の向上を図った建物に関する。
【０００２】
【従来の技術】
木造軸組構造の建物においては、平成１２年の改正建築基準法の施工により、コーナー柱脚部の接合に当って相応の引張り耐力を有することが求められることとなった。一般的な在来工法の建物では、例えば図８に示すように、コーナー部５において互いに当接される土台４Ａ，４Ｂの端部同士の接合（土台仕口）にあっては腰掛け蟻継ぎ５０等により、土台４Ａ，４Ｂと柱６の接合にあっては、ほぞ差し５１によってそれぞれ緊結の上、布基礎２に埋め込んだアンカーボルト３と柱６に固定したホールダウン金物５２によって接合している。なお、図８ではアンカーボルト３に螺合されるナットが図示省略されている。
【０００３】
一方、金物工法を採用する建物の場合には、例えば図９に示すように、柱脚部の引張り耐力の保持や、コーナー部５の土台４Ａ，４Ｂ同士の接合のため、パイプ６０や板状の継手金物６１を２種類組合わせて使用している。平面Ｌ形状の継手金物６１は土台４Ａ，４Ｂのコーナー部５上に載置されて布基礎２に埋め込んだアンカーボルト３により固定されている。継手金物６１と土台４Ａ，４Ｂおよび柱６の下端部にはパイプ６０を挿入するパイプ挿入孔６２が形成され、パイプ６０には直交する方向からピン６３を差し込むピン孔６４が形成されている。そして、土台４Ａ，４Ｂに挿入したパイプ６０の一端を土台４Ａ，４Ｂにピン６３で固定し、柱６に挿入したパイプ６０の他端を柱６にピン６３で固定して、土台４Ａ，４Ｂと柱６を接合している。
【０００４】
【発明が解決しようとする課題】
しかしながら、前述した従来の建物においては、布基礎２に埋め込むアンカーボルト３と金物（ホールダウン金物や継手金物）５２，６１を直接緊結するため、アンカーボルト３の位置出しの施工精度が要求され、施工が大変であった。また、金物５２，６１が柱６や土台４Ａ，４Ｂから露出する部分ができるため、この部分が建物の外部と内部の熱を伝える橋渡し（ヒートブリッジ）となってしまい、断熱性の点で不利になってしまう。これを防ぐために、金物５２，６１を発泡ウレタン吹付け等により熱が伝わらないようにする作業（断熱加工）が必要となり、施工が大変であった。
【０００５】
本発明は、前記事情を考慮してなされたもので、アンカーボルトと継手部材が直接緊結されないことによりアンカーボルトの位置出しの施工精度が要求されず、しかも、継手部材が土台や柱から露出しないことにより断熱性に有利であり、施工性の向上が図れる建物を提供することを目的とする。
【０００６】
【課題を解決するための手段】
本発明の建物は、布基礎上にアンカーボルトで固定される土台と、該土台の直角のコーナー部上に立設される柱と、これら土台および柱を接合する継手部材とを備え、前記継手部材は前記土台のコーナー部に沿って交差する２つの側方延出片部と、これら側方延出片部の交差部から上方へ延出した上方延出片部とを有し、前記コーナー部において互いに当接される土台の端部に前記側方延出片部を各々挿入するスリットを形成し、前記柱の下端部に前記上方延出部を挿入するスリットを形成し、各スリットに挿入した状態で側方延出片部を土台に、上方延出片部を柱に固定具でそれぞれ固定してなり、土台同士の接合部である端部の形状は、土台の幅方向略中央に形成したスリットを境としてコーナー部の内側端部を外側端部よりも土台の幅の半分の寸法だけ後退させた形状とされていることを特徴とする。
【０００７】
【発明の実施の形態】
以下に、本発明の実施の形態を添付図面に基いて詳述する。図１は本発明の実施の形態を示す建物の概略的斜視図、図２は図１のＡ部の拡大斜視図、図３はコーナー部の土台の接合部の形状を示す斜視図、図４は図２の分解斜視図、図５は組立方法を説明するための斜視図である。
【０００８】
図１において、１は在来工法の軸組構造からなる木造建物で、この建物１は、図２にも示すように、布基礎２上にアンカーボルト３で固定される土台４Ａ，４Ｂと、該土台４Ａ，４Ｂのコーナー部５上に立設される柱６と、これら土台４Ａ，４Ｂおよび柱６を接合する継手部材７とを備えている。
【０００９】
前記継手部材７は、前記土台４Ａ，４Ｂのコーナー部５の角度に沿って交差する２つの側方延出片部（第１の側方延出片部、第２の側方延出片部ともいう。）８，９と、これら側方延出片部８，９の交差部１０から上方へ延出した上方延出片部１１とを有している。継手部材７は、図４にも示すように、例えば鉄、ステンレス等の剛性を有する所定厚さの金属板からなり、金属板をＴ形状に裁断形成し、その一方の側方延出片部９の付根部分に切込み１２を入れ、該側方片部９を付根部分で前記コーナ部５に沿った角度例えば直角に折り曲げることにより形成されている。
【００１０】
換言すれば、前記継手部材７は、同一面上で上方および側方に延出した上方延出片部１１および第１の側方延出片部８と、前記上方延出片部１１の位置（幅方向略中間位置）で第１の側方延出片部８に直交する第２の延出片部９と有している。前記第１の側方延出片部８と、第２の側方延出片部９と、上方延出片部１１とは、コーナー部５の土台４Ａ，４Ｂと柱６に対応するように交差部１０から三方へ舌片状に延出している。
【００１１】
両側方延出片部８，９は、垂直に起立した状態（垂直状態）にある。側方延出片部８，９の上下方向の幅は、土台４Ａ，４Ｂの上下方向の厚さと略同じか、または、該厚さよりも少し小さく形成されていることが好ましい。また、上方延出片部１１の左右方向の幅は、柱６の幅と略同じか、または、該幅よりも少し小さく形成されていることが好ましい。前記第１の側方延出片部８、第２の側方延出片部９、上方延出片部１１のそれぞれの長さは、コーナー柱脚部の引張り力に耐え得る適当な長さとされている。
【００１２】
一方、前記コーナー部５において互いに当接される土台４Ａ，４Ｂの端部には、前記第１の側方延出片部８と第２の側方延出片部９を各々挿入するスリット１３，１３が形成され、前記柱６の下端部（脚部）には、前記上方延出片部１１を挿入するスリット１４が形成されている。そして、各スリット１３，１４に挿入した状態で側方延出片部８，９を土台４Ａ，４Ｂに、上方延出片部１１を柱６に固定具、好ましくは棒状固定具例えば金属製のピン１５でそれぞれ固定するように構成されている。
【００１３】
前記コーナー部５の土台４Ａ，４Ｂ同士の接合部である端部の形状は、図３の（ａ），（ｂ）に示すように、土台４Ａ，４Ｂの幅方向略中央に形成したスリット１３を境としてコーナー部５の内側端部４ａを外側端部４ｂよりも土台の幅の半分の寸法だけ後退させた形状、すなわち、端部の内側に切欠部１６を形成した形状とされている。これにより、一方の土台４Ａの切欠部１６に他方の土台４Ｂの外側端部４ｂを係合させると共に、他方の土台４Ｂの切欠部１６に一方の土台４Ａの内側端部４ａを係合させた状態に土台の端部同士が当接接合ないし組合わされる。この状態で図３の（ｂ）に示すように、スリット１３，１３が平面略Ｔ形状に形成されるようになっている。
【００１４】
継手部材７の各延出片部８，９，１１に対して、１ないし複数本のピン１５が使用される。柱脚部の引張り力に耐え得るよう、ピン１５の径および使用本数が設定されている。図示例では、第１の側方延出片部８に複数例えば３本のピンを直交方向から挿通させる複数例えば３つの孔部（ピン孔）１７が設けられ、第２の側方延出片部には１本のピン（下側ピン）１５を直交方向から挿通させる１つの孔部１７と、他の１本のピン（上側ピン）１５を係合させて土台４Ｂを引き寄せるための上向きに開放したＶ形状の引き寄せ溝１８とが設けられている。この引き寄せ溝１８は、第２の側方延出片部９の上辺に切欠形成されており、予め土台４Ｂに取付けた上側ピン１５を引き寄せ溝に係合させ、引き寄せ溝１８の斜辺１８ａに沿って上側ピン１５を引き寄せ溝の奥部まで移動させることにより土台４Ｂを対向する土台４Ａ側に（正しくは土台４Ａ，４Ｂ同士を相対的に）引き寄せるようになっている。上方延出片部１１には、柱６の上方への引張り力に耐え得るように複数例えば４本のピン１５を直交方向から挿通させる複数例えば４つの孔部１７が設けられている。
【００１５】
なお、土台４Ａ，４Ｂはアンカーボルト３で固定されている関係上、土台４Ａ，４Ｂ間の引張り力が作用しないため、各側方延出片部８，９におけるピン１５の本数は少なくても良いが、上方への継手部材７の引張り力に耐え得るように前述の如く適宜本数使用されている。前記ピン１５は、外部に突出しないように、土台４Ａ，４Ｂもしくは柱６の内部に納まる長さに形成されていることが好ましい。
【００１６】
土台４Ａ，４Ｂには側方延出片部８，９の孔部（ピン孔）１７や引き寄せ溝１８と対応する挿入孔（ピン挿入孔）１９が、柱６には上方延出片部１１の孔部（ピン孔）１７と対応する挿入孔１９がそれぞれ貫通して設けられている。これらの挿入孔１９は、ピン１５が振動等で勝手に抜けないように、ピン１５の外径と同じか、または、ピン１５の外径よりも少し小さい内径とされていることが好ましい。また、挿入孔１９にピン１５を挿入し易いように、ピン１５の一端は尖った先端部１５ａを有していることが好ましい。なお、各延出片部８，９，１１において、少なくとも１本のピンに変えてボルトを使用しても良い。
【００１７】
前記アンカーボルト３は、図２に示すように、継手部材７の側方延出片部８，９から離れた位置に配設されていて、側方延出片部８，９を直接緊結しないようになっており、これによりアンカーボルト３の位置出しの施工精度が要求されないようになっている。アンカーボルト３は、布基礎２上に突設され、布基礎２上に置かれた土台４Ａ，４Ｂを貫通しており、このアンカーボルト３の先端に座金２０を嵌めてナット２１を締付けることにより土台４Ａ，４Ｂを締付固定（緊結）している。この場合、土台４Ａ，４Ｂの上面に座金２０およびナット２１を収容する窪み２２を設けることにより、これら（アンカーボルトの先端を含む）が土台４Ａ，４Ｂの上面から突出しないようになっている。
【００１８】
次に、以上の構成からなる建物の施工方法について説明する。先ず、図５の（ａ）に示すように、一方の土台４Ａの端部のスリット１３に継手部材７の第１の側方延出片部８を挿入し、ピン挿入孔１９およびピン孔１７に跨ってピン１５を挿入（差し込む）して継手部材７を取付ける。次に、予めピン挿入孔１９に上側ピン１５を挿入した他方の土台４Ｂの端部のスリット１３に前記継手部材７の第２の側方延出片部９を挿入し、第２の側方延出片部９の上辺に設けられた略Ｖ形状の引き寄せ溝１８に上側ピン１５を係合させ、引き寄せ溝１８の斜辺１８ａに沿って上側ピン１５を引き寄せ溝１８の奥部まで移動させることにより土台４Ｂを対向する土台４Ａ側に（正しくは土台４Ａ，４Ｂ同士を相対的に）引き寄せる。
【００１９】
引き寄せが完了したら、下側ピン１５をピン挿入孔１９およびピン孔１７に跨って挿入し、これにより継手部材７によるコーナー部５の土台４Ａ，４Ｂの端部同士の接合が完了する。この土台４Ａ，４Ｂの端部同士の接合の完了を待って、前記土台４Ａ，４Ｂを布基礎２上にアンカーボルト３で緊結する。次に、前記継手部材７の上方延出片部１１を柱６の下端（脚部）のスリット１４に挿入し、ピン挿入孔１９およびピン孔１７に跨ってピン１５を挿入（差し込む）することにより土台４Ａ，４Ｂのコーナー部５上に対する柱６の脚部の接合が完了する。
【００２０】
このように、以上の構成からなる建物１によれば、布基礎２上にアンカーボルト３で固定される土台４Ａ，４Ｂと、該土台４Ａ，４Ｂのコーナー部５上に立設される柱６と、これら土台４Ａ，４Ｂおよび柱６を接合する継手部材７とを備え、前記継手部材７は前記土台４Ａ，４Ｂのコーナー部５に沿って交差する２つの側方延出片部８，９と、これら側方延出片部８，９の交差部１０から上方へ延出した上方延出片部１１とを有し、前記コーナー部５において互いに当接される土台４Ａ，４Ｂの端部に前記側方延出片部８，９を各々挿入するスリット１３，１３を形成し、前記柱６の下端部に前記上方延出片部１１を挿入するスリット１４を形成し、各スリット１３，１４に挿入した状態で側方延出片部８，９を土台４Ａ，４Ｂに、上方延出片部１１を柱６に固定具例えばピン１５でそれぞれ固定したので、コーナー部５の土台４Ａ，４Ｂの端部同士の接合および土台４Ａ，４Ｂのコーナー部５上に対する柱６の脚部の接合を１個の継手部材７と複数のピン１５により容易に行うことができ、施工性の向上が図れる。また、これにより、改正建築基準法で要求されるコーナー柱脚部の接合における相応の引張り耐力が得られる。
【００２１】
特に、前記構成によれば、アンカーボルト３と継手部材７が直接緊結されないことによりアンカーボルト３の位置出しの施工精度が要求されることがないため、しかも、継手部材７が土台４Ａ，４Ｂや柱６から露出しない（すなわちヒートブリッジにならない）ことにより断熱性に有利であり、断熱加工を必要としないため、施工性が飛躍的に向上する。なお、断熱加工を必要としないが、断熱加工をしても勿論良く、その場合も断熱加工を簡略化でき施工性の向上が図れる。
【００２２】
図６は継手部材の変形例を示す斜視図である。図６において、前記図４の実施例と同一部分は同一符号を付して説明を省略する。図６の継手部材７においては、金属板をＬ形状に裁断形成することにより一方の側方延出片部８と上方延出片部１１とを一体形成し、その交差部１０に他方の側方延出片部９を直角に当接させて溶接により固定してなる。
【００２３】
他方の側方延出片部９の基端部９ａは直角に折り曲げられ、この折り曲げられた基端部９ａがＬ形状の金属板７０のコーナー部の一側面である交差部１０に当接されて溶接により固定されている。図６の継手部材７においても前記実施例の継手部材と同様の作用効果が得られる。
【００２４】
図７は継手部材の別の変形例を示す図で、（ａ）は斜視図、（ｂ）は分解斜視図である。図７において、前記図４の実施例と同一部分は同一符号を付して説明を省略する。図７の継手部材７においては、一方の側方延出片部８と上方延出片部１１ａとを有するＬ形状の第１の金属板７０ａと、他方の側方延出片部９と上方延出片部１１ｂとを有する略Ｌ形状の第２の金属板７０ｂとから構成されている。第１の金属板７０ａと第２の金属板７０ｂとが直交状態に互いに組み付くように、第１の金属板７０ａの上方延出片部１１ａには上向きのスリット７１が形成され、第２の金属板７０ｂの上方延出片部１１ｂには下向きのスリット７２が形成されている。
【００２５】
第２の金属板７０ｂにおいては、上方延出片部１１ｂの基部側に切欠部７３を設けることにより土台４Ａと干渉しないようにしてある。第１の金属板７０ａと第２の金属板７０ｂとは直交状態に互いに組み付けられて溶接で固定されている。なお、柱６には、断面十字形状の上方延出片部１１ａ，１１ｂが係合するように断面十字形状のスリットが形成されている（図示省略）。この継手部材においても前記実施例の継手部材と同様の作用効果が得られる。
【００２６】
以上、本発明の実施の形態を図面により詳述してきたが、本発明は前記実施の形態に限定されるものではなく、本発明の要旨を逸脱しない範囲での種々の設計変更等が可能である。
【００２７】
【発明の効果】
以上要するに本発明によれば、布基礎上にアンカーボルトで固定される土台と、該土台の直角のコーナー部上に立設される柱と、これら土台および柱を接合する継手部材とを備え、前記継手部材は前記土台のコーナー部に沿って交差する２つの側方延出片部と、これら側方延出片部の交差部から上方へ延出した上方延出片部とを有し、前記コーナー部において互いに当接される土台の端部に前記側方延出片部を各々挿入するスリットを形成し、前記柱の下端部に前記上方延出部を挿入するスリットを形成し、各スリットに挿入した状態で側方延出片部を土台に、上方延出片部を柱に固定具でそれぞれ固定してなり、土台同士の接合部である端部の形状は、土台の幅方向略中央に形成したスリットを境としてコーナー部の内側端部を外側端部よりも土台の幅の半分の寸法だけ後退させた形状とされているため、アンカーボルトと継手部材が直接緊結されないことによりアンカーボルトの位置出しの施工精度が要求されることがなく、しかも、継手部材が土台や柱から露出しないことにより断熱性に有利であり、施工性の向上が図れる。
【図面の簡単な説明】
【図１】本発明の実施の形態を示す建物の概略的斜視図である。
【図２】図１のＡ部の拡大斜視図である。
【図３】コーナー部の土台の接合部の形状を示す斜視図である。
【図４】図２の分解斜視図である。
【図５】組立方法を説明するための斜視図である。
【図６】継手部材の変形例を示す斜視図である。
【図７】継手部材の別の変形例を示す図で、（ａ）は斜視図、（ｂ）は分解斜視図である。
【図８】従来の建物における要部の一例を示す斜視図である。
【図９】従来の建物における要部の他の例を示す斜視図である。
【符号の説明】
１  建物
２  布基礎
３  アンカーボルト
４Ａ，４Ｂ  土台
５  コーナー部
６  柱
７  継手部材
８，９  側方延出片部
１０  交差部
１１  上方延出片部
１３，１４  スリット
１５  ピン（固定具）
【図１】
0003791769.tif 000002
【図２】
0003791769.tif 000003
【図３】
0003791769.tif 000004
【図４】
0003791769.tif 000005
【図５】
0003791769.tif 000006
【図６】
0003791769.tif 000007
【図７】
0003791769.tif 000008
【図８】
0003791769.tif 000009
【図９】
0003791769.tif 000010